(57)【特許請求の範囲】
【請求項１】
餌の形態を模した餌木であって、
釣糸接続部を伴う頭部側部分と釣り針を伴う尾部側部分とを有する一体化された本体部と、
前記頭部側部分と前記尾部側部分との間で前記本体部に露出して設けられ、前記本体部よりも柔軟な材料によって形成される軟質部分と、
を備え、
前記本体部は、前記頭部側部分と前記尾部側部分とを連結する連結部を有して一体形成され、該連結部の周囲に前記軟質部分が設けられ、
前記頭部側部分と前記尾部側部分との間にわたって前記連結部を貫通して延びる補強部材を更に備えることを特徴とする餌木。
【発明の詳細な説明】
【技術分野】
【０００１】
本発明は、イカ釣りで疑似餌として用いられる餌木に関する。
【背景技術】
【０００２】
従来、魚釣りに用いられる疑似餌としては様々な形態のものがあるが、特にイカ釣りに際しては、「餌木」と称される疑似餌を用いることが知られている。通常、餌木は、小魚や海老等に似せた胴部（本体）と、胴部の前方側の下部に突出するように取り付けられた錘と、胴部前端に設けられた釣糸接続環（アイ部とも称する）と、胴部の後端に設けられ、先端を前方に向けた釣り針とを有している。このように構成される餌木は、釣糸接続環に釣糸を取り付けて、ルアーキャスティングと同様、ポイントに投げ込んでリールで釣糸を巻く際に、釣竿を煽ることでアクションを与えると、イカが餌木の動きに誘われて餌木に抱きつく。そして、餌木に抱きついたイカは、胴部後端に設けられた釣り針に掛かって釣り上げることが可能となる。
【０００３】
ところで、このような餌木を用いたイカ釣りでは、餌木の自然な動きと、餌木に抱きついたイカが餌木を直ぐに離さないようにする工夫とが求められる。従来のルアーを含む疑似餌全体を眺めてみると、そうした疑似餌の動きや形態に様々な特徴を持たせるものが数多く提案されているが、疑似餌全体が硬質材料で一体形成されているものも多い。こうした一体成形型の硬質な疑似餌では、屈曲動作が得られないため、自然な動きを醸し出すことが難しい。そのため、例えば特許文献１および特許文献２に開示されるように、疑似餌本体部の少なくとも一部に軟質部材を採用して、実際の魚に近い動きや感触等が得られるようにする疑似餌（ルアー）も提案されている。
【先行技術文献】
【特許文献】
【０００４】
【特許文献１】特開平１０−２４８４３９号
【特許文献２】特開２００２−１３６２４７号
【発明の概要】
【発明が解決しようとする課題】
【０００５】
しかしながら、特許文献１に開示される疑似餌は、軟質部と硬質部とを長手方向に配列した形態であり、また、特許文献２に開示されるルアーは、頭部以外の全てを軟質部としており、大きな外力が加わると脆弱な軟質部がちぎれる虞もある。特許文献２のルアーでは、軟質部に形状記憶線材が埋設されているが、この線材は軟質部の過度な屈曲を規制するものであり、軟質部に強度を持たせるほどのものではない。したがって、自然な動きを実現しつつ一定の強度が求められるイカ釣り用の餌木においては、これらの特許文献の構成をそのまま適用することはできず、餌木特有の改良が望まれる。
【０００６】
本発明は、上記した問題に着目してなされたものであり、イカを寄せ付ける自然な動きが得られ、抱きついたイカが直ぐに離さない形態を備えるとともに、一定の強度を確保できる餌木を提供することを目的とする。
【課題を解決するための手段】
【０００７】
上記した目的を達成するために、本発明は、餌の形態を模した餌木であって、釣糸接続部を伴う頭部側部分と釣り針を伴う尾部側部分とを有する一体化された本体部と、前記頭部側部分と前記尾部側部分との間で前記本体部に露出して設けられ、前記本体部よりも柔軟な材料によって形成される軟質部分とを備え、前記本体部は、前記頭部側部分と前記尾部側部分とを連結する連結部を有して一体形成され、該連結部の周囲に前記軟質部分が設けられ、前記頭部側部分と前記尾部側部分との間にわたって前記連結部を貫通して延びる補強部材を更に備えることを特徴とする。
【０００８】
上記構成によれば、頭部側部分と尾部側部分とが一体化されて成る本体部自体に軟質部分が設けられているため、イカ釣りに適した一定の強度を確保できる（軟質材料だけの場合と比べて強度が高く、イカ釣りに適する）。しかも、イカが抱きつく主要部（頭部側部分と尾部側部分との間の部分）に露出して軟質部分が設けられているため、イカの抱きつきが良く、抱きついたイカが直ぐに離れない（実際の魚に近い感触が得られる）。また、頭部側部分と尾部側部分との間に軟質部分を含むため、イカを寄せ付ける自然な動きを得ることも容易となる。
【０００９】
また、上記構成では、本体部が頭部側部分と尾部側部分とを連結する連結部を有して一体形成され、該連結部の周囲に軟質部分が設けられるとともに、頭部側部分と尾部側部分との間にわたって連結部を貫通して延びる補強部材を更に備えているため、強度が更に向上する。
【発明の効果】
【００１０】
本発明によれば、頭部側部分と尾部側部分とが一体化されて成る本体部自体に軟質部分が設けられ、頭部側部分と尾部側部分との間に露出して軟質部分が設けられるため、イカを寄せ付ける自然な動きが得られ、抱きついたイカが直ぐに離さない形態を備えるとともに、一定の強度を確保できる餌木を提供することができる。
【図面の簡単な説明】
【００１１】
【図１】本発明の第１の実施形態に係る餌木の全体側面図である。
【図２】本発明の第２の実施形態に係る餌木の全体断面図である。
【図３】図２の餌木の全体側面図である。
【発明を実施するための形態】
【００１２】
以下、図面を参照して、本発明の餌木の実施形態について具体的に説明する。  
図１は、本発明の第１の実施形態に係る餌木１の全体側面図を示している。図示のように、本実施形態に係る餌木１は、イカ釣りに適した構造を成しており、前後方向に長く小魚や海老等の生き物（餌）の形態を模して構成された浮力を有する餌木本体（本体部）２から成る。餌木本体２の前端部（先端部）下面には錘４が設けられている。また、餌木本体２の前端（先端）には、釣糸が連結できるように、金属等によって形成されたリング状のアイ部（釣糸接続部）３が設けられており、後端には、先端が前方を向いた複数の釣り針５が設けられている。また、餌木本体２には、必要に応じて目６やひれ部材等が設けられる。
【００１３】
本実施形態において、餌木本体２は、アイ部３および錘４を伴う頭部側部分１０と、釣り針５を伴う尾部側部分１５と、頭部側部分１０と尾部側部分１５とを連結する連結部１３とを有する硬質材料から成る一体成形品であり、餌木本体２よりも柔軟な材料によって形成される軟質部分２５が頭部側部分１０と尾部側部分１５との間で餌木本体２に露出して設けられている。
【００１４】
また、頭部側部分１０と尾部側部分１５との間にわたって補強部材２０が延びている。本実施形態では、補強部材２０が頭部側部分１０と尾部側部分１５との間にわたって連結部１３を貫通して延びている。この場合、補強部材２０は、金属製ワイヤや形状記憶ワイヤなどの線材により形成されており、その一端が頭部側部分１０の連結部１０ａに結合されるとともに、その他端が尾部側部分１５の連結部１５ａに結合される。そして、本実施形態では、補強部材２０の周囲に、したがって、連結部１３の周囲に、前記軟質部分２５が設けられる。
【００１５】
このような構成において、頭部側部分１０、尾部側部分１５、および、連結部１３を形成する硬質材料としては、例えば、ポリエチレン、ポリウレタン、ポリエチレンまたはポリウレタンの発泡材などが挙げられる。また、軟質部分２５を形成する軟質材料としては、例えば、ポリウレタン、エラストマー、塩化ビニル、シリコン、剛性ゴムなど、前記硬質材料よりも柔軟な材料が挙げられる。また、頭部側部分１０と尾部側部分１５との間に連結部１３を取り囲むように軟質部分２５を設ける方法としては、例えば、一体成形品である餌木本体２を金型内に配置して、この金型内に軟質材料を流し込むことにより、軟質材料が頭部側部分１０と尾部側部分１５とを接続するように軟質材料を頭部側部分１０と尾部側部分１５との間に充填する方法が考えられる。なお、本実施形態において、軟質部分２５と頭部側部分１０および尾部側部分１５との間の接合部には段差がなく、軟質部分２５の外面と頭部側部分１０および尾部側部分１５の外面とは略面一である。そのため（段差がないため）、水の抵抗を受けることがなく、前記接合部が水中での餌木１の動きに影響を及ぼすことはない。
【００１６】
以上のように、本実施形態の餌木１によれば、頭部側部分１０と尾部側部分１５とが一体化されて成る餌木本体２自体に軟質部分２５が設けられているため、イカ釣りに適した一定の強度を確保できる（軟質材料だけの場合と比べて強度が高く、したがって、軟質部分２５でちぎれることが防止され、イカ釣りに適する）。しかも、イカが抱きつく主要部（頭部側部分１０と尾部側部分１５との間の部分）に露出して軟質部分２５が設けられているため、イカの抱きつきが良く、抱きついたイカが直ぐに離れない（実際の魚に近い感触が得られる）。また、頭部側部分１０と尾部側部分１５との間に軟質部分２５を含むため、イカを寄せ付ける自然な動きを得ることも容易となる。
【００１７】
また、本実施形態では、頭部側部分１０と尾部側部分１５とを連結する連結部１３の周囲に軟質部分２５が設けられ、しかも、連結部１３を貫通して延びる補強部材２０が更に設けられているため、イカ釣りに適した一定の強度を確保できる。
【００１８】
図２および図３は、本発明の第２の実施形態に係る餌木１Ａを示している。図示のように、本実施形態の餌木１Ａでは、３つの環状の軟質部分２５Ａ，２５Ｂ，２５Ｃが連結部１３の周囲で餌木本体２の長手方向に沿って所定の間隔を隔てて配列して設けられている。言い換えると、頭部側部分１０と尾部側部分１５との間の餌木本体２の部位に環状の３つの溝が所定間隔を隔てて形成され、これらの各溝に環状の軟質部分２５Ａ，２５Ｂ，２５Ｃが配設されている。そして、前記環状の溝の存在により餌木本体２の中心部に連結部１３が形成され、この連結部１３を貫くように補強部材２０が頭部側部分１０と尾部側部分１５との間で延びている。また、本実施形態において、３つの環状の軟質部分２５Ａ，２５Ｂ，２５Ｃを形成する材料は、互いに同じであってもよく或いは異なっていてもよい。軟質部分２５Ａ，２５Ｂ，２５Ｃを形成する材料が互いに異なる場合には、例えば軟質部分２５Ａ，２５Ｂ，２５Ｃを形成する材料の硬度を互いに異ならせてもよい。その場合、後側の第２の軟質部分２５Ｂ（または、第３の軟質部分２５Ｃ）の硬度を前側の第１の軟質部分２５Ａ（または、第２の軟質部分２５Ｂ）の硬度よりも柔らかくすることにより、尾部側が屈曲し易くなり、より魚の動きに似せることができる。なお、それ以外の構成は第１の実施形態と同一であり、したがって、第１の実施形態と同様の作用効果を得ることができる。
【００１９】
以上、本発明の実施形態について説明したが、本発明は、前述した実施形態に限定されず、その要旨を逸脱しない範囲で種々変形して実施できる。例えば、軟質部分は、任意の数（１つまたは３つに限らない）の別個の部分から成ってもよく、また、頭部側部分１０と尾部側部分との間で任意の形態および配列を成していてもよい。つまり、軟質部分は、一体化された餌木本体自体に露出して設けられていれば、どのような配置形態であっても構わない。
【符号の説明】
【００２０】
１，１Ａ，１Ｂ  餌木
２  本体部
３  アイ部（釣糸接続部）
５  釣り針
１０  頭部側部分
１３  連結部
１５  尾部側部分
２０  補強部材
２５，２５Ａ，２５Ｂ，２５Ｃ  軟質部分
【図１】
0005777534.tif 000002
【図２】
0005777534.tif 000003
【図３】
0005777534.tif 000004